(57)【特許請求の範囲】
【請求項１】
扱室内において、回転軸を中心として回転する扱胴と、
前記扱胴の回転軸と略平行な回転軸を中心として回転する処理胴を有し、前記扱胴の回転により発生した被処理物が投入される処理装置と、
前記処理装置で処理された被処理物が投入され、再処理が不要な一番物と、再処理が必要な二番物と、を選別する選別装置と、
前記選別装置で選別された前記二番物を、前記処理装置の上方まで搬送する二番還元機構と、
前記二番還元機構の放出口から放出された前記二番物を、前記処理胴の回転軸に沿った方向に案内しつつ前記処理装置に投入する二番案内通路と、
を備えることを特徴とする脱穀装置。
【請求項２】
請求項１に記載の脱穀装置であって、
前記扱胴で発生した被処理物を前記処理装置に向けて案内する被処理物案内板を備え、
前記処理胴の回転軸方向で見たときに、前記二番還元機構の放出口は、前記被処理物案内板を挟んで前記扱胴の反対側に配置されていることを特徴とする脱穀装置。
【請求項３】
請求項２に記載の脱穀装置であって、
前記被処理物案内板の、前記放出口側を向く面には、当該被処理物案内板に略直交する二番物調整板が、前記処理胴の回転軸と略平行な方向で複数並べて配置されており、
少なくとも何れか１つの二番物調整板は、前記処理胴の回転軸と平行な方向に対して斜め（垂直を除く）に配置されていることを特徴とする脱穀装置。
【発明の詳細な説明】
【技術分野】
【０００１】
本発明は、脱穀装置に関する。詳細には、選別装置で選別された二番物を処理装置まで還元するための構成に関する。
【背景技術】
【０００２】
特許文献１は、扱室に配置された扱胴と、この扱胴と略平行に配設された処理室と、を備えた構成の脱穀装置を開示している。特許文献１が開示する脱穀装置は、扱室内で発生した被処理物が、扱胴の回転によって処理室に投入され粉砕処理される構成である。
【０００３】
また、特許文献１は、選別機構で選別された二番穀粒を、スクリューコンベア式の揚穀筒を介して処理室の一端に戻す構成を開示している。このように二番穀粒を処理室に戻すことにより、当該二番穀粒を、処理胴の回転によって再処理することができる。
【先行技術文献】
【特許文献】
【０００４】
【特許文献１】特開２００２−１１２６１８号公報
【発明の概要】
【発明が解決しようとする課題】
【０００５】
特許文献１の構成は、二番穀粒を、スクリューコンベアによって処理室の一端に戻しているので、当該処理室の端部に二番穀粒が集中してしまうという問題がある。このように特許文献１の構成では、処理室の一部に二番穀粒が集中してしまうため、当該処理室全体を効率良く利用することができていなかった。
【０００６】
本発明は以上の事情に鑑みてされたものであり、その主要な目的は、処理室の処理効率を向上させた脱穀装置を提供することにある。
【課題を解決するための手段及び効果】
【０００７】
本発明の解決しようとする課題は以上の如くであり、次にこの課題を解決するための手段とその効果を説明する。
【０００８】
本発明の観点によれば、以下の構成の脱穀装置が提供される。即ち、この脱穀装置は、扱胴と、処理装置と、選別装置と、二番還元機構と、二番案内通路と、を備える。前記扱胴は、扱室内において、回転軸を中心として回転する。前記処理装置は、前記扱胴の回転軸と略平行な回転軸を中心として回転する処理胴を有し、前記扱胴の回転により発生した被処理物が投入される。前記選別装置は、前記処理装置で処理された被処理物が投入され、再処理が不要な一番物と、再処理が必要な二番物と、を選別する。前記二番還元機構は、前記選別装置で選別された前記二番物を、前記処理装置の上方まで搬送する。前記二番案内通路は、前記二番還元機構の放出口から放出された前記二番物を、前記処理胴の回転軸に沿った方向に案内しつつ前記処理装置に投入する。
【０００９】
このように二番案内通路を設けたことにより、二番物還元機構から放出された二番物を、処理胴の回転軸と平行な方向に分散させて処理装置へと投入することができる。これにより、処理装置を軸方向で均一に利用できるので、当該処理装置の処理効率を向上させることができる。
【００１０】
上記の脱穀装置は、以下のように構成されることが好ましい。即ち、この脱穀装置は、前記扱胴で発生した被処理物を前記処理装置に向けて案内する被処理物案内板を備える。前記処理胴の回転軸方向で見たときに、前記二番還元機構の放出口は、前記被処理物案内板を挟んで前記扱胴の反対側に配置されている。
【００１１】
即ち、被処理物案内板は二番還元機構の放出口と扱胴の間に配置されているので、放出口から放出された二番物が扱胴側へ飛散してしまうことを防止できる。また、被処理物案内板は、被処理物を処理装置に向けて案内できるように配置されているので、当該被処理物案内板に衝突した二番物を、処理装置へと案内することができる。
【００１２】
上記の脱穀装置は、以下のように構成されることが好ましい。即ち、前記被処理物案内板の、前記放出口側を向く面には、当該被処理物案内板に略直交する二番物調整板が、前記処理胴の回転軸と略平行な方向で複数並べて配置されている。少なくとも何れか１つの二番物調整板は、前記処理胴の回転軸と平行な方向に対して斜め（垂直を除く）に配置されている。
【００１３】
このように、処理胴の回転軸に対して斜めに配置された二番物調整板によって、被処理物案内板によって案内された二番物が落下する位置を、処理胴の回転軸方向で調整することができる。これにより、処理胴を回転軸方向で効率的に利用することができる。
【図面の簡単な説明】
【００１４】
【図１】本発明の一実施形態に係る脱穀装置の全体的な構成を示す側面図。
【図２】脱穀装置の内部を示す側面断面図。
【図３】脱穀装置の正面断面図。
【図４】脱穀装置の平面断面図。
【図５】扱歯の斜視図。
【図６】穂切れ処理装置及び二番案内通路の様子を示す側面断面図。
【発明を実施するための形態】
【００１５】
次に、図面を参照して本発明の実施の形態を説明する。図１から図４に示すように、脱穀装置１０の側面には、穀稈搬送機構１１が配置されている。この穀稈搬送機構１１は、穀稈搬送チェーン１２と、押圧部材１３（図３）と、を主に備えている。
【００１６】
穀稈搬送チェーン１２は、図１に示すように、無端環状に構成され、スプロケットの回転によって循環駆動されるように構成されている。押圧部材１３は、図３に示すように、穀稈搬送チェーン１２の上面に対して押圧されるように構成されている。これにより、図３に示すように、穀稈１４の根元部分を、穀稈搬送チェーン１２の上面と押圧部材１３との間に挟み込んで保持することができる。そして、この状態で穀稈搬送チェーン１２を循環駆動することにより、前記穀稈１４を所定方向に搬送する構成である。なお以下の説明で、穀稈搬送機構１１によって穀稈が搬送される方向を、単に搬送方向と呼ぶ。
【００１７】
脱穀装置１０内には、穀稈の脱穀を行う空間である扱室１５が形成されている。扱室１５内には、回転することにより脱穀を行う扱胴１６が配置されている。穀稈１４が穀稈搬送機構１１によって搬送されることにより、当該穀稈１４の穂先１４ａは、扱室１５内を通過する。このとき、回転する扱胴１６によって、穀稈１４の脱穀が行われる。なお、図４に示すように、穀稈搬送チェーン１２は、平面視で扱胴１６の回転軸１７と略平行に配設されている。従って、穀稈１４は、扱胴１６の回転軸１７に沿うようにして搬送される。
【００１８】
扱胴１６による脱穀が完了した穀稈（排藁）は、穀稈搬送機構１１の下流側端部において、排藁搬送機構１８（図１及び図４）に受け渡される。この排藁搬送機構１８は、図４に示すように、排藁搬送チェーン１９と、係止搬送ベルト２０と、を並列して設けた構成である。排藁搬送チェーン１９は、無端環状のチェーンとして構成され、循環駆動されることにより、その下面で排藁の根元部分を搬送するように構成されている。係止搬送ベルト２０は、一定間隔でタイン（図略）が配置された無端環状ベルトであり、当該係止搬送ベルト２０を循環駆動することにより、穀稈の穂先部分をタインによって係止しつつ搬送する構成である。
【００１９】
図１に示すように、排藁搬送機構１８の下方には、排藁処理部２１が配置されている。この排藁処理部２１は、排藁を細かく切断するための排藁カッター、切断された排藁を機外に排出するための拡散装置などを備えている。排藁搬送機構１８によって搬送される排藁は、排藁処理部２１に順次投入され、細かく裁断された後、圃場に均一に放出される。
【００２０】
次に、穀稈を脱穀するための構成について詳しく説明する。
【００２１】
扱胴１６は、金属板にて略八角形柱状の中空状筒体として構成されており、その回転軸１７が装置前後方向に沿って略水平に配置されている。扱胴１６の外周には、複数の扱歯２２が外向きに突出するように設けられている。
【００２２】
図２等に示すように、扱歯２２は、扱胴１６の回転軸１７と平行な方向に並んで複数設けられている。図５に示すように、各扱歯２２は、当該扱歯２２同士が並ぶ方向に対して平行な平面を構成するように、扁平な形状に形成されている。また図５に示すように、扱歯２２の先端部は、先端に向かって幅が狭まる略Ｖ字状に構成されている。従って、隣接する扱歯２２同士の間は、先端に向かって幅が広がるＶ型溝２３が形成されている。また、Ｖ型溝２３の奥には、丸型（又は多角形）の抜き孔２４が、前記Ｖ型溝２３に連通するように形成されている。
【００２３】
穀稈搬送機構１１によって扱室１５内を搬送される穀稈１４は、扱歯２２と扱歯２２の間の部分（Ｖ型溝２３及び抜き孔２４）に嵌まり込む。この状態で扱胴１６が回転することにより、穀稈１４は、穂先１４ａに向けて扱かれる。これにより、穀稈１４から穂の部分のみが取られる。なお、このように穀稈１４から取られた穂の部分を、穂切れと称する。
【００２４】
なお、本実施形態の扱胴１６は、上扱ぎ式に回転するように構成されている。即ち、図３に示すように、穀稈１４は上方に向けて扱かれ、当該穀稈１４の穂先１４ａは、扱胴１６の上方を通過するように構成されている。
【００２５】
図２に示すように、扱室１５の搬送方向上流側の端部には、供給口２５が形成されている。穀稈搬送機構１１によって搬送される穀稈１４の穂先１４ａは、供給口２５を介して、扱室１５内に導入される。なお図２に示すように、搬送方向で供給口２５よりも上流側には、当該供給口２５の下縁部に接続する穂先案内プレート２６が配置されている。穀稈１４の穂先１４ａの部分は、穂先案内プレート２６の上面によって供給口２５まで案内される。この構成により、穀稈１４の穂先１４ａを、扱室１５に対して適切に供給することができる。
【００２６】
また本実施形態の脱穀装置１０には、前記供給口２５を扱室１５の内側から塞ぐ逆流防止部材５０が設けられている。このように、供給口２５を逆流防止部材５０によって塞ぐことにより、供給口２５を介して扱室１５の外側に穂切れ等が飛び出すことを防ぎ、脱穀装置１０の効率を向上させることができる。なお、この逆流防止部材５０はゴム板から構成されているので、穀稈１４の穂先１４ａは、逆流防止部材５０を押し退けるようにして進むことができる。
【００２７】
また本実施形態では、図３等に示すように、穀稈搬送機構１１と扱胴１６との間に、穀稈押さえ部材２８が配置されている。穀稈押さえ部材２８は、穀稈１４の搬送方向に略沿って配置された丸パイプである。この穀稈押さえ部材２８は、図３に示すように、穀稈搬送機構１１と扱胴１６の間の穀稈１４に対して、上方から接触するように配置されている。これにより、穀稈１４を扱胴１６に対して押さえ付けることができるので、当該穀稈１４が扱胴１６から浮き上がることを防止し、脱穀を確実に行うことができる。
【００２８】
次に、扱胴１６の回転によって穀稈１４から取り外された穂先（穂切れ）の処理について詳しく説明する。なお、扱室１５内においては、扱胴１６の回転によって、穂切れの他にも、穀粒や藁屑等が発生する。これらの混合物のことを、以下、被処理物と称する。
【００２９】
扱胴１６の回転により発生した被処理物は、当該扱胴１６の回転により、扱胴１６の回転方向下流側に向けて放出される。扱室１５内において、被処理物の落下位置には、穂切れ処理装置２９が配置されている。扱胴１６から放出された被処理物は、穂切れ処理装置２９に投入され、当該穂切れ処理装置２９で処理されて単粒化（穀粒を枝梗から外すこと）される。
【００３０】
穂切れ処理装置２９は、図３及び図４に示すように、処理胴３０と、受網３１と、を備えている。
【００３１】
処理胴３０は、略四角筒状に形成されるとともに、その軸線を回転軸３２として回転駆動されるように構成されている。処理胴３０の回転軸３２は、扱胴１６の回転軸１７と略平行になるように配置されている。なお本実施形態では、図３に矢印で示すように、扱胴１６と処理胴３０は同じ方向に回転駆動される。この処理胴３０は、外向きに突出する複数の処理歯３３を有している。処理歯３３は、処理胴３０の回転軸３２と平行な方向に並んで配置されている。
【００３２】
受網３１は、処理胴３０の下半分を覆うように設けられている。図３に示すように、受網３１は、処理胴３０の軸線方向で見たときに、回転する処理歯３３の先端の軌跡に沿って形成されている。
【００３３】
この構成で、扱胴１６から穂切れ処理装置２９に導入された被処理物は、回転する処理歯３３と、受網３１と、の間で揉み解し作用を受け、単粒化が促進される。脱粒された穀粒は、受網３１を通って、下方に落下する。また、受網３１の終端には、切歯４９が形成されている。この切歯４９は、処理胴３０の軸線方向に並んで複数形成されている。そして、処理胴３０が回転することにより、切歯４９同士の間を、処理歯３３が通過するように構成されている。これにより、穂切れ処理装置２９に投入された藁屑等が細かく裁断される。細かく裁断された藁屑は、受網３１を通って下方に落下する。
【００３４】
なお、処理胴３０の回転軸３２は、扱胴１６の回転軸１７よりも低い位置となるように配置されている。これにより、扱胴１６から落下する被処理物を、穂切れ処理装置２９で確実に受けとめることができる。
【００３５】
また、扱胴１６と処理胴３０との間には、仕切板３４が配置されている。この仕切板３４は、無孔の金属板を折り曲げて形成されている。この仕切板３４の下端部は、受網３１の終端に近接して配置されている。このように仕切板３４を設けることにより、穂切れ処理装置２９内の被処理物が、処理胴３０の回転の勢いによって扱胴１６側に飛び出してしまうことを防止できる。これにより、穂切れ処理装置２９の処理効率を向上させることができる。
【００３６】
また、処理胴３０よりも扱胴１６の回転方向上流側であって、処理胴３０の上方には、被処理物案内板３５が配置されている。この被処理物案内板３５は、扱胴１６から放出された被処理物が衝突する位置に配置されている。従って、扱胴１６で発生した被処理物は、当該扱胴１６の回転の勢いによって当該扱胴の回転方向下流側に放出されたのち、被処理物案内板３５に衝突する。
【００３７】
被処理物案内板３５は、扱胴１６側の面を、斜め下方に向けて配置されている。従って、扱胴１６から放出された被処理物は、被処理物案内板３５の斜め下方を向いた面に衝突して、当該被処理物案内板３５の下端部が向く方向（斜め下方）に向けて案内される。そして、被処理物案内板３５は、扱胴１６側を向いた面（被処理物を案内する側の面）が、仕切板３４の上方を通過するように配置されている。このように被処理物案内板３５が配置されているので、扱胴１６か放出された被処理物を、被処理物案内板３５によって穂切れ処理装置２９の処理胴３０まで案内することができる。
【００３８】
また、被処理物案内板３５には、扱胴１６側を向く面（被処理物を案内する側の面）に、複数の調整板５６が取り付けられている。この調整板５６は、被処理物案内板３５の扱胴１６側を向く面から略直交する方向に突出するように設けられている。また、複数の調整板５６は、処理胴３０の回転軸３２に平行な方向（図４の左右方向）に並んで配置されている。更に、各調整板５６は、処理胴３０の回転軸３２に平行な方向に対して、斜めになるように配置されている。
【００３９】
以上の構成で、扱胴１６から飛び出した被処理物は、被処理物案内板３５に衝突した際に、調整板５６によって、処理胴３０の回転軸３２方向に対して斜め方向に誘導されつつ、穂切れ処理装置２９へと導入される。このように、調整板５６によって被処理物を誘導することにより、当該被処理物が穂切れ処理装置２９に投入される位置を、処理胴３０の回転軸３２方向である程度調整することができる。これにより、処理胴３０の特定箇所に被処理物がかたまって供給されてしまうことを防ぎ、処理胴３０に供給される被処理物の軸方向の分布を均一にするように調整することができる。従って、穂切れ処理装置２９を、処理胴３０の回転軸３２方向で有効に利用することができる。
【００４０】
次に、選別装置３６について説明する。
【００４１】
選別装置３６は、扱胴１６及び穂切れ処理装置２９の下方に配置されている。前述のように、扱胴１６で発生した被処理物は、穂切れ処理装置２９で処理されて、受網３１を通って落下する。受網３１から落下する落下物（穀粒、藁屑、穂切れなどの混合物）を、以下の説明では被選別物と称する。受網３１から落下した被選別物は、選別装置３６に投入される。
【００４２】
選別装置３６は、図２に示すように、揺動選別部３７と、風選別部３８とを備えている。
【００４３】
揺動選別部３７は、チャフシーブ３９を備えている。穂切れ処理装置２９の受網３１から落下した被選別物は、まずチャフシーブ３９によって受けとめられる。チャフシーブ３９は、装置の略左右方向に横架された複数のチャフフィン４０を、穀稈１４の搬送方向に複数並べて配置したものである。揺動選別部３７は、チャフシーブ３９を、搬送方向で往復揺動可能に構成されている。即ち、チャフシーブ３９を往復揺動させることで、穀粒等の重くて小さい被選別物はチャフフィン４０の間を通って下に落ち、藁屑などの軽くて大きい被選別物はチャフフィン４０に引っ掛かって残る。
【００４４】
各チャフフィン４０は、その上面が、搬送方向で斜め上流側を向くようにして配置されている。これにより、チャフシーブ３９全体を往復揺動させることで、被選別物が揺動選別されながら搬送方向下流側に向けて搬送されていく。チャフシーブ３９の後端に達するまでの間に大部分の穀粒は落下し、チャフシーブ３９の上には、穂切れや藁屑のみが残る。
【００４５】
次に風選別部３８について説明する。この風選別部３８は、唐箕ファン４１と、グレンシーブ４２と、を備えている。
【００４６】
グレンシーブ４２は網目状のプレス、又はクリンプ網として構成されており、チャフシーブ３９の下方に配置される。またグレンシーブ４２の下方には、スクリューコンベアとして構成された一番コンベア４３が配置されている。前記チャフシーブ３９の粗選別により、当該チャフシーブ３９から落下した重くて小さい被選別物（穀粒等）は、グレンシーブ４２の上に落下する。
【００４７】
唐箕ファン４１は、搬送方向下流向きの選別風を発生させ、当該選別風をグレンシーブ４２に対して下側から当てるように構成されている。
【００４８】
以上の構成で、グレンシーブ４２上に落下した被選別物に対して、唐箕ファン４１が生起する選別風が当てられる。そして、この選別風にかかわらず略垂直に落下する比重の重い物、即ち穀粒は一番物と呼ばれる。一番物は一番コンベア４３に導入され、それ以外の比重の軽いものは搬送方向下流側に向けて吹き飛ばされる。
【００４９】
一番コンベア４３に導入された一番物（穀粒）は、当該一番コンベア４３によって搬送され、例えば図略のグレンタンクに貯蔵される。以上により、被選別物から穀粒を選別して取り出すことができる。
【００５０】
チャフシーブ３９及びグレンシーブ４２の下流側端部下方には、スクリューコンベアとして構成された二番コンベア４４が配置されている。
【００５１】
チャフシーブ３９の上に残った穂切れ、藁屑等は、当該チャフシーブ３９の往復揺動により搬送方向下流側に向けて搬送され、二番コンベア４４に落下する。また、グレンシーブ４２に落下した被処理物のうち、唐箕ファン４１の選別風により吹き飛ばされた穂切れ、藁屑等も、二番コンベア４４に落下する。風選別部３８は、二番コンベア４４に落下する被選別物に対して搬送方向下流側に向けて上向きの風を当てる送風ファン４５を有している。
【００５２】
二番コンベア４４に落下する被選別物のうち、穀粒の付いた穂切れ等は比較的重いので、送風ファン４５の風にもかかわらず落下して二番コンベア４４に導入される。一方、穀粒の付いていない藁屑等は、送風ファン４５の風によって吹き飛ばされ、図略の藁出口から装置の外に排出される。
【００５３】
穀粒の付いた穂切れ等は、再処理を施して穀粒を取り出す余地があるので、回収する価値のあるものである。このように再処理の対象とするものを、二番物と称する。風選別部３８で選別されて二番コンベア４４に導入された二番物は、当該二番コンベア４４によって搬送され、二番還元コンベア（二番還元機構）４６の端部に供給される。
【００５４】
二番還元コンベア４６は、略上下方向に配設されたスクリューコンベアであり、前記二番物を、穂切れ処理装置２９よりも上方まで搬送するように構成されている。二番還元コンベア４６によって搬送された二番物は、当該二番還元コンベア４６の放出口４７から放出される。二番還元コンベア４６から放出された二番物は、穂切れ処理装置２９に投入される。以上の構成により、選別装置３６で選別された二番物を、穂切れ処理装置２９によって再処理することができる。
【００５５】
次に、本実施形態の特徴的な構成について説明する。
【００５６】
前述のように、従来の脱穀装置では、選別装置で選別された二番穀粒を、スクリューコンベアによって処理装置の一端に戻していた。このため、処理装置に戻された二番穀粒が当該処理装置の端部に集中してしまい、処理装置全体を効率良く利用できていないという課題があった。
【００５７】
そこで本実施形態の脱穀装置１０は、二番還元コンベア４６の放出口４７から放出された二番物を、処理胴３０の回転軸３２と平行な方向に案内しつつ穂切れ処理装置２９に投入する二番案内通路４８を設けたものである。
【００５８】
以下、詳しく説明する。図３、図４、及び図６に示すように、二番案内通路４８は、底面７０と、側壁７１と、天井７２と、によって囲まれた空間として構成されている（なお、図４においては、二番案内通路４８の内部を示すために天井７２は省略されている）。図４及び図６に示すように、二番案内通路４８の長手方向の一端には、二番還元コンベア４６の放出口４７が接続されている。この構成により、二番還元コンベア４６によって搬送されてきた二番物は、二番案内通路４８内に放出される。
【００５９】
図６に示すように、二番案内通路４８の長手方向は、水平面に対して斜めになるように配置されている。前記放出口４７は、斜めに配置された二番案内通路４８の高い方の端部に接続されている。従って、放出口４７から放出された二番物は、重力の作用により、二番案内通路４８の長手方向に沿って低い方へと自然に案内される。図４に示すように、平面視において、二番案内通路４８の長手方向は、処理胴３０の回転軸３２に略沿うように配置されている。従って、放出口４７から放出された二番物は、二番案内通路４８によって、処理胴３０の回転軸３２に略沿うようにして案内される。
【００６０】
図３に示すように、処理胴３０の回転軸３２と直交する断面において、二番案内通路４８の底面７０は、一側の端部は側壁７１によって閉鎖されており、他側の端部は開放されている。なお以下の説明で、底面７０の開放されている側の端部を開放端、側壁７１で閉鎖されている側の端部を閉鎖端と呼ぶ。図３に示すように、処理胴３０の回転軸３２と直交する断面において、底面７０は、開放端が閉鎖端よりも低くなるように水平面に対して斜めに配置されている。以上の構成で、二番案内通路４８内を案内される二番物は、底面７０の開放端から下方に落下することができる。
【００６１】
図３に示すように、二番案内通路４８は、穂切れ処理装置２９よりも高い位置に配置されている。そして、処理胴３０の回転軸３２に直交する断面（図３）において、二番案内通路４８の底面７０の開放端は、穂切れ処理装置２９の受網３１の始端（処理胴３０の回転方向で上流側の端部）の上方に位置している。また、前記底面７０は、その開放端が処理胴３０を向くように配置されている。以上の構成で、底面７０の開放端から落下する二番物は、穂切れ処理装置２９内へと投入される。
【００６２】
図４に示すように、平面視において、二番案内通路４８は、放出口４７から遠ざかるにつれて底面７０の幅が細くなるように構成されている。また前述のように、底面７０は、開放端が閉鎖端よりも低くなるように斜めに配置されている。従って、二番案内通路４８内を案内される二番物は、遅かれ早かれ底面７０の開放端から落下することになる。以上の構成により、放出口４７から放出された二番物は、二番案内通路４８内を処理胴３０の回転軸３２に沿った方向に案内されつつ、底面７０の開放側端部から落下して穂切れ処理装置２９内へと投入される。
【００６３】
放出口４７から放出される二番物は、その速度や方向が様々であるから、ある二番物は放出口４７に近い位置で落下し、ある二番物は放出口４７から遠い位置で落下することになる。従って、二番物が穂切れ処理装置２９へと投入される位置は、処理胴３０の回転軸３２方向で適度に分散することになる。
【００６４】
このように、二番案内通路４８を処理胴３０の回転軸３２に略沿うように設けたことで、二番還元コンベア４６の放出口４７から放出された二番物を、処理胴３０の回転軸３２方向で分散させたうえで、穂切れ処理装置２９に供給することができる。これにより、穂切れ処理装置２９の特定の位置に二番物がかたまって供給されることを防ぎ、当該穂切れ処理装置２９を全長にわたって有効利用することができる。
【００６５】
なお本実施形態においては、図４に示すように、二番還元コンベア４６の放出口４７は、穀稈１４の搬送方向で下流側から上流側に向けて二番物を放出するように構成されている。また、二番案内通路４８の底面７０は、穀稈１４の搬送方向で下流側から上流側に向かうにつれて幅が狭くなっている。そして、この底面７０は、穀稈１４の搬送方向で処理胴３０の上流側端部までは形成されていない（即ち、底面７０は途中で断絶している）。従って、本実施形態の脱穀装置１０において、二番案内通路４８は、穂切れ処理装置２９の上流側には二番物をあまり供給しないように構成されている。
【００６６】
これは以下のような理由による。即ち、扱胴１６の上流側では大量の被処理物が発生するので、穂切れ処理装置２９は、その上流側ほど被処理物を大量に処理しなければならない。このため、穂切れ処理装置２９の上流側に二番物を供給してしまうと、穂切れ処理装置２９の負荷が過大になるおそれがある。逆に、穀稈１４の搬送方向下流側では、被処理物の発生量が少なくなるので、穂切れ処理装置２９の負荷も軽い。
【００６７】
そこで、穂切れ処理装置２９の処理負荷が軽い箇所（穀稈１４の搬送方向下流側）に対して二番物を分散させて供給するように、二番案内通路４８を構成したものである。これにより、穂切れ処理装置２９を、処理胴３０の回転軸３２方向で更に有効に利用することができる。
【００６８】
なお、二番還元コンベア４６の放出口４７から二番物が勢い良く放出された場合などには、当該二番物が、二番案内通路４８によって適切に案内されずに、予期せぬ方向に飛散してしまう場合がある。例えば、図３の符号６０や符号６１で示すように、二番物が扱胴１６側に向かう軌跡で飛んだ場合、当該二番物は、そのままでは穂切れ処理装置２９に入ることができず、扱胴１６と処理胴３０との間を通って落下する。この結果、脱穀装置１０全体の処理効率の低下につながってしまう。
【００６９】
この点、本実施形態の脱穀装置１０では、図３に示すように、処理胴３０の回転軸３２方向から見たときに、二番還元コンベア４６の放出口４７は、被処理物案内板３５を挟んで、扱胴１６の反対側に位置している。即ち、放出口４７と、扱胴１６と、の間に前記被処理物案内板３５が配置されている。このため、放出口４７から放出された二番物が予期せぬ方向に飛んだとしても、当該二番物は、被処理物案内板３５の放出口４７側を向く面（扱胴１６で発生した被処理物を案内する面とは反対側の面）に衝突する。これにより、放出口４７から放出された二番物が扱胴１６側に飛び出してしまうことを防止できる。
【００７０】
また前述のように、被処理物案内板３５は、扱胴１６で発生した被処理物を穂切れ処理装置２９へと案内できるように、適切な位置と角度で配置されている。従って、この被処理物案内板３５に衝突した二番物は、当該被処理物案内板３５によって穂切れ処理装置２９まで適切に案内される。以上の構成によれば、二番還元コンベア４６の放出口４７から放出された二番物を、穂切れ処理装置２９へと確実に投入することができる。
【００７１】
なお、本実施形態において、被処理物案内板３５には、放出口４７側を向く面（二番物を案内する側の面）に、複数の二番物調整板７４が取り付けられている。この二番物調整板７４は、被処理物案内板３５の放出口４７側を向く面から略直交する方向に突出するように設けられている。また、複数の二番物調整板７４は、処理胴３０の回転軸３２に平行な方向に並んで配置されている。更に、各二番物調整板７４は、処理胴３０の回転軸３２に平行な方向に対して、斜めになるように配置されている。
【００７２】
この二番物調整板７４は、前述の調整板５６と同様の効果を狙ったものである。即ち、被処理物案内板３５に衝突した二番物は、二番物調整板７４によって、処理胴３０の軸線方向に対して斜め方向に誘導されつつ、穂切れ処理装置２９へと導入される。このように、二番物調整板７４によって二番物を誘導することにより、当該二番物が穂切れ処理装置２９に投入される位置を、処理胴３０の回転軸３２と平行な方向である程度調整することができる。これにより、穂切れ処理装置２９を、処理胴３０の回転軸３２方向で更に有効に利用することができる。
【００７３】
以上で説明したように、本実施形態の脱穀装置１０は、扱胴１６と、穂切れ処理装置２９と、選別装置３６と、二番還元コンベア４６と、二番案内通路４８と、を備えている。扱胴１６は、扱室１５内において、回転軸１７を中心として回転する。穂切れ処理装置２９は、扱胴１６の回転軸１７と略平行な回転軸３２を中心として回転する処理胴３０を有し、扱胴１６の回転により発生した被処理物が投入される。選別装置３６は、穂切れ処理装置２９で処理された被処理物が投入され、再処理が不要な一番物と、再処理が必要な二番物と、を選別する。二番還元コンベア４６は、選別装置３６で選別された二番物を、穂切れ処理装置２９の上方まで搬送する。二番案内通路４８は、二番還元コンベア４６の放出口４７から放出された二番物を、処理胴３０の回転軸３２に沿った方向に案内しつつ穂切れ処理装置２９に投入する。
【００７４】
このように二番案内通路４８を設けたことにより、二番還元コンベア４６から放出された二番物を、処理胴３０の回転軸３２と平行な方向に分散させて穂切れ処理装置２９へと投入することができる。これにより、穂切れ処理装置２９を軸方向で均一に利用できるので、当該穂切れ処理装置２９の処理効率を向上させることができる。
【００７５】
また本実施形態の脱穀装置１０は、扱胴１６で発生した被処理物を穂切れ処理装置２９に向けて案内する被処理物案内板３５を備える。処理胴３０の回転軸３２方向で見たときに、二番還元コンベア４６の放出口４７は、被処理物案内板３５を挟んで扱胴１６の反対側に配置されている。
【００７６】
即ち、被処理物案内板３５は二番還元コンベア４６の放出口４７と扱胴１６の間に配置されているので、放出口４７から放出された二番物が扱胴１６側へ飛散してしまうことを防止できる。また、被処理物案内板３５は、被処理物を穂切れ処理装置２９に向けて案内できるように配置されているので、当該被処理物案内板３５に衝突した二番物を、穂切れ処理装置２９へと案内することができる。
【００７７】
また本実施形態の脱穀装置１０は、以下のように構成されている。即ち、被処理物案内板３５の、放出口４７側を向く面には、当該被処理物案内板３５に略直交する二番物調整板７４が、処理胴３０の回転軸３２と略平行な方向で複数並べて配置されている。少なくとも何れか１つの二番物調整板７４は、処理胴３０の回転軸３２と平行な方向に対して斜めに配置されている。
【００７８】
このように、処理胴３０の回転軸３２に対して斜めに配置された二番物調整板７４によって、被処理物案内板３５によって案内された二番物が落下する位置を、処理胴３０の回転軸３２方向で調整することができる。これにより、処理胴３０を回転軸３２方向で効率的に利用することができる。
【００７９】
以上に本発明の好適な実施の形態を説明したが、上記の構成は例えば以下のように変更することができる。
【００８０】
本発明の脱穀装置は、据え置きの脱穀装置、ハーベスタ内蔵の脱穀装置、コンバイン内蔵の脱穀装置など、様々な脱穀装置に適用することができる。
【００８１】
二番案内通路４８の構成は一例であり、上記の構成に限らない。二番還元コンベア４６から放出された二番物を、処理胴３０の回転軸３２と平行な方向に沿って案内できる構成であれば、二番案内通路４８の形状等は特に限定されない。
【００８２】
二番還元機構はスクリューコンベア式であるとしたが、これに限らず、適宜の搬送機構を利用することができる。
【００８３】
被処理物案内板３５は、省略しても良い。
【００８４】
二番物調整板７４の角度は、必要に応じて適宜設定することができる。また、複数の二番物調整板７４の角度がそれぞれ異なっていても良い。また、処理胴３０の回転軸３２と平行な方向に対して二番物調整板７４が直交するように配置されていても良い。もっとも、この二番物調整板７４は省略することもできる。
【符号の説明】
【００８５】
１０  脱穀装置
１６  扱胴
２９  穂切れ処理装置（処理装置）
３０  処理胴
３５  被処理物案内板
３６  選別装置
４６  二番還元コンベア（二番還元機構）
４７  放出口
４８  二番案内通路
７４  二番物調整板
【図１】
0005841773.tif 000002
【図２】
0005841773.tif 000003
【図３】
0005841773.tif 000004
【図４】
0005841773.tif 000005
【図５】
0005841773.tif 000006
【図６】
0005841773.tif 000007